(57)【要約】      （修正有）【課題】保温性に優れた防寒を目的とする衣料を提供する。【解決手段】衣料１は、バッテリ５が収納される収納部２と、前記バッテリ５が着脱可能に接続されるコネクタ部３と、前記コネクタ部３を介して前記バッテリ５から電力が供給されるヒーター部４とを備え、収納部は、後身頃に少なくとも２つ以上設けられ、左右対称位置に配置され、表地層を備え、表地層の着用者側となる面には、赤外線反射層が設けられ、少なくとも２つ以上設けられた収納部にそれぞれ収納されたバッテリが、ヒーター部に対して並列に接続されるようにコネクタ部が配線されており、コネクタ部は、ＵＳＢ端子３１が設けられ、ヒーター部への給電状態を制御するスイッチ部６が設けられ、ヒーター部に電力を供給するバッテリを備え、静電気を除電する機能を有する静電気防止部材を備える。【選択図】図３
2016056490.tif 000002
【特許請求の範囲】
【請求項１】
バッテリが収納される収納部と、
前記バッテリが着脱可能に接続されるコネクタ部と、
前記コネクタ部を介して前記バッテリから電力が供給されるヒーター部と、
を備えることを特徴とする衣料。
【請求項２】
前記収納部は、後身頃に設けられることを特徴とする請求項１に記載の衣料。
【請求項３】
前記収納部は、少なくとも２つ以上設けられ、左右対称位置に配置されることを特徴とする請求項１または２に記載の衣料。
【請求項４】
表地層を備え、
前記表地層の着用者側となる面には、赤外線反射層が設けられることを特徴とする請求項１〜３のいずれかに記載の衣料。
【請求項５】
少なくとも２つ以上設けられた前記収納部にそれぞれ収納された前記バッテリが、前記ヒーター部に対して並列に接続されるように前記コネクタ部が配線されていることを特徴とする請求項１〜４のいずれかに記載の衣料。
【請求項６】
前記コネクタ部は、ＵＳＢ端子が設けられてなることを特徴とする請求項１〜５のいずれかに記載の衣料。
【請求項７】
前記ヒーター部への給電状態を制御するスイッチ部が設けられることを特徴とする請求項１〜６のいずれかに記載の衣料。
【請求項８】
前記ヒーター部に電力を供給する前記バッテリを備えることを特徴とする請求項１〜７のいずれかに記載の衣料。
【請求項９】
静電気を除電する機能を有する静電気防止部材を備えることを特徴とする請求項１〜８のいずれかに記載の衣料。
【発明の詳細な説明】
【技術分野】
【０００１】
本発明は、保温性に優れた防寒を目的とする衣料に関する。
【背景技術】
【０００２】
従来、ヒーター部及び電源部を備え、防寒を目的として着用する衣料が知られている。
【０００３】
特許文献１には、面ファスナーによって着脱可能に構成されたヒーター部を備えた衣料が開示されている。
【先行技術文献】
【特許文献】
【０００４】
【特許文献１】実用新案登録第３１３０６０４号
【発明の概要】
【発明が解決しようとする課題】
【０００５】
しかしながら、特許文献１に記載された衣料の構成では、ヒーター部を取り外して洗濯できる点は好ましいが、着用時には再びヒーター部を取り付ける必要があり、手間が掛かるという問題があった。
【課題を解決するための手段】
【０００６】
本発明は、上述した技術背景に鑑み、保温性に優れた防寒を目的とする衣料の提供を目的とする。
【０００７】
即ち、本発明は下記［１］〜［９］に記載の構成を有する。
【０００８】
［１］  バッテリが収納される収納部と、
前記バッテリが着脱可能に接続されるコネクタ部と、
前記コネクタ部を介して前記バッテリから電力が供給されるヒーター部と、
を備えることを特徴とする衣料。
【０００９】
［２］  前記収納部は、後身頃に設けられることを特徴とする前項１に記載の衣料。
【００１０】
［３］  前記収納部は、少なくとも２つ以上設けられ、左右対称位置に配置されることを特徴とする前項１または２に記載の衣料。
【００１１】
［４］  表地層を備え、
前記表地層の着用者側となる面には、赤外線反射層が設けられることを特徴とする前項１〜３のいずれかに記載の衣料。
【００１２】
［５］  少なくとも２つ以上設けられた前記収納部にそれぞれ収納された前記バッテリが、前記ヒーター部に対して並列に接続されるように前記コネクタ部が配線されていることを特徴とする前項１〜４のいずれかに記載の衣料。
【００１３】
［６］  前記コネクタ部は、ＵＳＢ端子が設けられてなることを特徴とする前項１〜５のいずれかに記載の衣料。
【００１４】
［７］  前記ヒーター部への給電状態を制御するスイッチ部が設けられることを特徴とする前項１〜６のいずれかに記載の衣料。
【００１５】
［８］  前記ヒーター部に電力を供給する前記バッテリを備えることを特徴とする前項１〜７のいずれかに記載の衣料。
【００１６】
［９］  静電気を除電する機能を有する静電気防止部材を備えることを特徴とする前項１〜８のいずれかに記載の衣料。
【発明の効果】
【００１７】
上記［１］に記載の発明によれば、バッテリが収納される収納部と、バッテリが着脱可能に接続されるコネクタ部と、コネクタ部を介してバッテリから電力が供給されるヒーター部と、を備えるので、収納部に収納されたバッテリを用いてヒーター部を稼働させ、着用者を暖めることができる。
【００１８】
バッテリが着脱可能に構成されるので、ヒーター部はそのままでバッテリのみを取り外して洗濯することができ、着用時にはバッテリのみをコネクタ部に取り付ければよいため手間が掛からない。
【００１９】
上記［２］に記載の発明によれば、収納部は、後身頃に設けられるので、収納部に収納したバッテリが、例えば、ゴルフのスイング動作や釣りなどする着用者の動作の邪魔になりにくいため好ましく、特に、上衣の場合には、後身頃の裾側に収納部が設けられると、着用中の違和感が少ないためより好ましい。
【００２０】
着用者の動作の邪魔になりにくいため、収納部に収納したバッテリがぶつかるなどして破損する虞が低減する。
【００２１】
上記［３］に記載の発明によれば、収納部は、少なくとも２つ以上設けられ、左右対称位置に配置されるので、収納部に同重量のバッテリをそれぞれ収納した状態で着用した際に、収納部が左右対称に配置されているおかげでバッテリ重量が左右に均等に配分されてバランスが取れるため、バッテリの収納による違和感などを着用者に生じさせない。
【００２２】
上記［４］に記載の発明によれば、表地層を備え、表地層の着用者側となる面には、赤外線反射層が設けられるので、ヒーター部から放射された赤外線が表地層の着用者側の面で反射して人体側に放射されるようになり、ヒーター部から放射される赤外線を余すことなく人体に吸収させることができる。
【００２３】
上記［５］に記載の発明によれば、少なくとも２つ以上設けられた収納部にそれぞれ収納されたバッテリが、ヒーター部に対して並列に接続されるようにコネクタ部が配線されているので、バッテリが並列に接続される構成により、１つのバッテリだけが接続された場合であっても、ヒーター部に給電されて稼働させることができる。
【００２４】
また、１つのバッテリでヒーター部を駆動させる場合の時間と比較して、ヒーター部を稼働させることができる時間を倍以上に伸ばすことができる。
【００２５】
上記［６］に記載の発明によれば、コネクタ部は、ＵＳＢ端子が設けられてなるので、例えば、ＵＳＢ端子に接続可能な市販のバッテリを電力源として使用することができる。
【００２６】
上記［７］に記載の発明によれば、ヒーター部への給電状態を制御するスイッチ部が設けられるので、着用者の体感温度に合わせてヒーター部の温度を調整することができる。
【００２７】
上記［８］に記載の発明によれば、ヒーター部に電力を供給するバッテリを備えるので、当該バッテリを用いてヒーター部を稼働させ、着用者を暖めることができる。
【００２８】
バッテリが着脱可能に構成されるので、ヒーター部はそのままでバッテリのみを取り外して洗濯することができ、着用時にはバッテリのみをコネクタ部に取り付ければよいため手間が掛からない。
【００２９】
上記［９］に記載の発明によれば、静電気を除電する機能を有する静電気防止部材を備えるので、除電により静電気放電の発生を抑制して、静電気放電から回路素子を保護することができる。
【図面の簡単な説明】
【００３０】
【図１】本発明の衣料の全体図である。
【図２】本発明の衣料の生地の構成を説明するための構成図である。
【図３】本発明の衣料のヒーター部について説明するための説明図である。
【図４】本発明の衣料のコネクタ部を説明するための説明図である。
【発明を実施するための形態】
【００３１】
以下、図面を参照して、本発明の実施形態について説明する。
【００３２】
図１は、衣料１の全体図、図２は、衣料１の生地の構成を説明するための構成図、図３は、衣料１のヒーター部４について説明するための説明図、図４は、衣料１のコネクタ部３を説明するための説明図である。
【００３３】
まず、図１〜４を参照して衣料１について説明する。
【００３４】
本発明の衣料１は、バッテリ５が収納される収納部２と、コネクタ部３と、赤外線ヒーターからなるヒーター部４と、ヒーター部４への給電状態を制御するスイッチ部６と、を備え、コネクタ部３を介してバッテリ５から供給される電力によってヒーター部４が稼働するように構成されたものである。
【００３５】
衣料１は、屋外であっても着用者を暖めることが可能に構成され、主に上衣に適用されるものである。
【００３６】
以降では、前身頃１１及び後身頃１２を有する上衣のうち、本発明の構成がベストに適用された場合を一例として説明する。
【００３７】
図中、１４は袖刳を示し、１８は、前身頃１１及び後身頃１２を開閉するために設けられた合成樹脂などからなる線ファスナー部を示している。
【００３８】
衣料１は、着用時に一番外側に配される表地層１５と、一番内側に配される裏地層１７と、表地層１５及び裏地層１７の間に配される中間層１６と、の３層からなっている。
【００３９】
前身頃１１、後身頃１２及び襟部１３は、共に同様の表地層１５、中間層１６及び裏地層１７の３層の構成となっている。
【００４０】
後に詳述するヒーター部４は、中間層１６と裏地層１７との間に設けられている。
【００４１】
表地層１５は、例えば、ナイロンやポリエステルなどの合成繊維からなる表地本体１５１と、赤外線反射機能を有する赤外線反射材料からなる赤外線反射層１５２と、を備える。
【００４２】
ここで、赤外線反射材料とは、ヒーター部４から放出される赤外線が、表地層１５の外部側へ透過することを防止し、人体側に効率良く反射させる機能を備えた材料のことを意味している。
【００４３】
赤外線反射層１５２は、表地本体１５１の内側面、即ち、着用者側となる面に、アルミニウムなどの赤外線反射材料を蒸着することにより形成されている。
【００４４】
表地層１５を備え、表地層１５の着用者側となる面には、赤外線反射層が設けられるので、ヒーター部４から放射された赤外線が表地層１５の着用者側の面で反射して人体側に放射されるようになり、ヒーター部４から放射される赤外線を余すことなく人体に吸収させることができる。
【００４５】
中間層１６は、表地層１５側から順に、中綿１６１及び不織布１６２が配されて構成されている。
【００４６】
中綿１６１には、例えば、ダウンや綿、ポリエステルなどの合成繊維が用いられる。
【００４７】
不織布１６２には、例えば、ポリエステル、綿やレーヨンなどセルロース系繊維の混紡品などが用いられる。
【００４８】
中間層１６に配された不織布１６２の内側面、即ち、着用者側面となる裏地層１７側の面には、ヒーター部４が設けられている。
【００４９】
裏地層１７の素材には、例えば、ナイロンやポリエステルなどの合成繊維が用いられる。
【００５０】
裏地層１７の内側面、即ち、着用者側に配される面には、バッテリ５が収納される収納部２が設けられている。
【００５１】
中間層１６に設けられたヒーター部４は、後身頃１２の幅方向中央の襟部１３側寄り位置（例えば、背中上部を含む周辺部位）と、襟部１３の幅方向中央位置（例えば、うなじを含む周辺部位）と、の２箇所に設けられている。
【００５２】
ヒーター部４には、例えば、可撓性を有する既存のセラミックヒーターなどの遠赤外線ヒーターを適用することができ、中でも特に吸収率の高いテラヘルツ波領域の赤外線を放射するテラヘルツヒーターが用いられることが好ましい。
【００５３】
ヒーター部４は、面状に形成されており、例えば、表面にドット状のプリントが施され、中間層１６の不織布１６２に縫着されて取り付けられて、ヒーター部４が縫着された面が裏地層１７側に配置されるように構成される。例えば、ドット状のプリントには、テラヘルツ波を放射する鉱石、ラジウムなどが含まれる。
【００５４】
ヒーター部４が中間層１６の不織布１６２に縫着されて取り付けられて構成されることにより、衣料１の表面に縫い目などがなく、見栄えがよくなる。
【００５５】
ヒーター部４は、電力供給路となる配線７（７ａ，７ｂ）の一端側（配線７ａの端部）に接続され、配線７の他端側（配線７ｂの端部）に設けられたコネクタ部３を介してバッテリ５と電気的に接続されている。
【００５６】
配線７は、着用時に邪魔にならないように、後身頃１２の裾端部に沿わせて各収納部２まで引き回され、配線７ｂの端部が、裏地層１７の中間層１６側から収納部２の差込口２２に挿入されるように配されて、収納部２内に収納されるようになっている。
【００５７】
配線７（７ａ，７ｂ）は、中間層１６及び裏地層１７の間における自由な揺動を防止するために、固定部材７１によって中間層１６の不織布１６２に固定されている。
【００５８】
コネクタ部３は、例えば、接続端子としてＵＳＢ端子３１が設けられてなる。
【００５９】
コネクタ部３は、通常、後述する収納部２内に収納された状態で、ＵＳＢ端子３１とバッテリ５の接続端子とが接続されるようになっている。
【００６０】
コネクタ部３は、ＵＳＢ端子３１が設けられてなるので、例えば、ＵＳＢ端子３１に接続可能な市販のバッテリ５を電力源として使用することができる。
【００６１】
コネクタ部３のＵＳＢ端子３１には、端子の先端部を保護するための保護キャップ３２が装着可能に構成されている。
【００６２】
保護キャップ３２は、脱落や紛失防止のために紐状部材３２１などによって配線７に繋げられている。
【００６３】
コネクタ部３に保護キャップ３２が設けられているので、コネクタ部３に保護キャップ３２を装着することができるため、衣料１を洗濯する際に保護キャップ３２を装着しておけばコネクタ部３の端子が水に濡れることがない。
【００６４】
収納部２は、裏地層１７の内側面、即ち、着用者側の面に設けられており、例えば、後身頃１２の裾側の両端部にそれぞれ１つずつ左右対称位置に配置されている。
【００６５】
収納部２が後身頃１２に設けられた構成であれば、収納部２に収納したバッテリ５が、例えば、ゴルフのスイング動作や釣りなどする着用者の動作の邪魔になりにくいため好ましく、特に、上衣の場合には、後身頃１２の裾側に収納部２が設けられると、着用中の違和感が少ないためより好ましい。
【００６６】
着用者の動作の邪魔になりにくいため、収納部２に収納したバッテリ５がぶつかるなどして破損する虞が低減する。
【００６７】
各収納部２は、少なくともバッテリ５を１つ収納するに十分な寸法、例えば、約１５ｃｍ×約９ｃｍの寸法の別布が裏地層１７に縫着されて形成されている。
【００６８】
収納部２の上端部には、バッテリ５の出し入れをするための開閉部２１が設けられ、開閉部２１には収納したバッテリ５の脱落防止などのため、例えば、合成樹脂製の線ファスナーが取付けられている。
【００６９】
収納部２の内部には、裏地層１７側面の上部に孔が形成され、配線７ｂの端部に設けられたコネクタ部３が挿入される差込口２２が設けられている。
【００７０】
差込口２２には、例えば、シリコン製のグロメット２２１が縫着されるなどして取り付けられており、差込口２２に挿入された配線７が逆戻りして抜けるなどしないように構成されている。
【００７１】
収納部２は、少なくとも２つ以上設けられ、左右対称位置に配置されるので、収納部２に同重量のバッテリ５をそれぞれ収納した状態で着用した際に、収納部２が左右対称に配置されているおかげでバッテリ重量が左右に均等に配分されてバランスが取れるため、バッテリ５の収納による違和感などを着用者に生じさせない。
【００７２】
収納部２に収納されるバッテリ５には、コネクタ部３の接続端子であるＵＳＢ端子３１と接続可能に構成された接続端子が設けられている。
【００７３】
バッテリ５は、コネクタ部３と接続されると、配線７を介してスイッチ部６及びヒーター部４に給電されるように構成されている。
【００７４】
図示するように、コネクタ部３は後身頃１２の裾側の両端部の収納部２内に収納されており、これ等のコネクタ部３とバッテリ５が接続される。
【００７５】
バッテリ５は、ヒーター部４に対してそれぞれ並列に接続されるように構成される。
【００７６】
バッテリ５には、電池容量が３．７Ｖ〜５．０Ｖのものを適用することが可能であり、例えば、市販されている携帯電話などの充電用バッテリをコネクタ部３に接続させてヒーター部４を稼働させることも可能である。
【００７７】
尚、バッテリ５が後身頃１２に設けられた２つの収納部２の何れか一方のみに装着された場合でも、ヒーター部４は稼働するように構成されているが、この場合、ヒーター部４の稼働時間は、両収納部２に同一のバッテリ５をそれぞれ装着した場合の１／２の稼働時間となる。
【００７８】
少なくとも２つ以上設けられた収納部２にそれぞれ収納されたバッテリ５が、ヒーター部４に対して並列に接続されるようにコネクタ部３が配線されていると、バッテリ５が並列に接続される構成により、１つのバッテリ５だけが接続された場合であっても、ヒーター部４に給電されて稼働させることができるので好ましい。
【００７９】
また、１つのバッテリ５でヒーター部４を駆動させる場合の時間と比較して、ヒーター部４を稼働させることができる時間を倍以上に伸ばすことができるので好ましい。
【００８０】
衣料１には、バッテリ５からヒーター部４への給電状態を制御するスイッチ部６が設けられる。
【００８１】
スイッチ部６は、例えば、左前身頃１１の表側面に取付けられており、着用者が衣料１を着用した状態のままスイッチ部６を操作することができるように構成されている。
【００８２】
スイッチ部６は、中間層１６の不織布１６２に固定部材７１によって取り付けられて袖刳１４に沿って引き回された配線７ｂが接続され、コネクタ部３と電気的に接続されている。
【００８３】
スイッチ部６に接続された配線７ａは、袖刳１４に沿って引き回されてヒーター部４に接続され、スイッチ部６を介してヒーター部４がコネクタ部３と接続されている。
【００８４】
スイッチ部６には、着用時に視認可能なＬＥＤなどの発光部が設けられており、発光部の点灯状態によってヒーター部４の設定状態が認識できるようになっている。
【００８５】
例えば、スイッチオフ状態、即ち、ヒーター部４が稼働状態にない場合には、スイッチ部６の発光部は消灯状態となっている。
【００８６】
この状態でスイッチ部６が長押しされると、スイッチオン状態となって、スイッチ部６及びヒーター部４にバッテリ５の電力が供給される。
【００８７】
スイッチ部６の状態を認識し易くなるため、スイッチオン状態になると、スイッチ部６の発光部が点滅して、ヒーター部４が稼働状態となるように構成するとよい。
【００８８】
更に、スイッチ部６は、ヒーター部４の温度設定を切り替えられるように構成するのであってもよい。
【００８９】
例えば、スイッチ部６の発光部が点滅状態（スイッチオン状態）で、スイッチ部６を押下すると、ヒーター部４の設定温度が切り替わるように構成する。
【００９０】
この時、スイッチオン状態でスイッチ部６を押下する毎に、発光部の点滅色が変化するようにすると、ヒーター部４の設定状態をより認識し易くなるため好ましい。
【００９１】
例えば、スイッチ部６が長押しされてヒーター部４が稼働すると、発光部が青色に点滅してヒーター部４が「弱」に設定されたことを示し、この状態でスイッチ部６が１度押下されると、発光部が白色に点滅してヒーター部４が「中」に設定されたことを示し、更にスイッチ部６が押下されると、発光部がオレンジ色に点滅してヒーター部４が「強」に設定されたことを示すように構成する。
【００９２】
更に、ヒーター部４の温度設定に関わらず、スイッチ部６が長押しされると、スイッチオン状態から、スイッチ部６及びヒーター部４へのバッテリ５の給電が停止されるスイッチオフ状態に切り替わるように構成すればよい。
【００９３】
スイッチ部６には、衣料の着用時などに生じる静電気により引き起こされる放電から回路素子を保護するための保護回路を設けるのであってもよい。
【００９４】
ヒーター部４への給電状態を制御するスイッチ部６が設けられるので、着用者の体感温度に合わせてヒーター部４の温度を調整することができる。
【００９５】
上述した表地層１５は、ヒーター部４から放射された赤外線が反射するなどして人体に吸収されない虞が低減するため、前身頃１１、後身頃１２及び襟部１３の全ての表地層１５の中間層１６側の全面に赤外線反射材料が蒸着されたものが最も好ましいが、後身頃１２及び襟部１３の表地層１５のみ赤外線反射材料が蒸着した素材が用いられるのであってもよいし、少なくとも表地層１５のヒーター部４が設けられた箇所に相当する部分に赤外線反射材料が蒸着した表地層１５が設けられるのであればよい。
【００９６】
また、赤外線反射材料としては、アルミニウムに限定されたものではなく、その他の赤外線反射材料を適用することが可能であり、例えば、反射したヒーター部４からの赤外線を吸収して即座に放出することができることから、カーボンセラミックなどのプリントが施されるのであってもよい。
【００９７】
上述した収納部２は、後身頃１２に左右対称に１つずつ設けられるように図示しているが、３つ以上の収納部２が設けられるのであってもよく、収納部２にバッテリ５を収納した状態で、着用者がバッテリ５の重量の偏りなどの違和感なく着用できるように構成されるのであればよい。
【００９８】
例えば、最大３つのバッテリ５を収納できるように構成する場合には、後身頃１２の裾側の両端部にそれぞれ１つずつ、更にその真ん中の裾側に１つ、合計３つの収納部２をバランスよく配置すればよい。
【００９９】
この場合、全ての収納部２にバッテリ５を収納する必要はなく、必要に応じて収納するバッテリ５の数を調整するとよい。
【０１００】
また、バッテリ５が、収納部２に２つ以上収納されるように構成するのであってもよい。
【０１０１】
上述したように、襟部１３を有する上衣が好ましくはあるが、これに限定されるものではなく、襟部１３を有さず、後身頃１２の背中部分のみにヒーター部４が設けられるものであってもよい。
【０１０２】
本発明の衣料１の形態は、上述したようなベストに限定されるものではなく、袖部を備えたジャケットなどの上衣であってもよいし、更には、ズボンなどの下衣に適用されるのであってもよい。
【０１０３】
また、ヒーター部４は、襟部１３や後身頃１２に設けられるだけでなく、前身頃１１に設けられるのであってもよく、この場合、例えば、前身頃１１において着用者の腹部を温めるようにヒーター部４が設けられるなどして構成するとよい。
【０１０４】
上述したように、収納部２に収納したバッテリ５が着用者の動作時の邪魔になりにくく着用時の違和感も少ないため、収納部２が後身頃１２の裾側に設けられた構成が最も好ましいが、これに限定されるものではなく、収納部２が、前身頃１１に設けられるのであってもよいし、後身頃１２及び前身頃１１の両方、或いは後身頃１２及び前身頃１１に跨った部位に設けられる構成とするのであってもよい。
【０１０５】
また、収納部２が裾側以外の部位に設けられるのであってもよい。
【０１０６】
上述では、スイッチ部６によってヒーター部４の設定温度を切り替えられるように説明したが、スイッチ部６は、ヒーター部４のスイッチオン状態及びスイッチオフ状態のみを切り替えるように構成するのであってもよい。
【０１０７】
また、スイッチ部６を設けず、バッテリ５がコネクタ部３に接続されると、自ずとヒーター部４に給電が行われるように構成するのであってもよい。
【０１０８】
上述したように、スイッチ部６に保護回路を設けて静電気放電から回路素子などを保護する構成に加えて更に、収納部２の内部に静電気を除電する機能を有する静電気防止部材などを取り付けた構成とするのであってもよく、保護回路か静電気防止部材の何れか一方を設けて静電気放電から回路素子を保護するようにするのであってもよい。
【０１０９】
静電気を除電する機能を有する静電気防止部材を備えた構成であれば、除電により静電気放電の発生を抑制して、静電気放電から回路素子を保護することができる。
【０１１０】
上述したヒーター部４は、赤外線ヒーターからなるように説明したが、これに限定されるものでなく、本発明の衣料１の効果を奏する構成であれば、その種類について限定するものではない。
【０１１１】
上述したように、衣料１は、バッテリ５が収納される収納部２と、バッテリ５が着脱可能に接続されるコネクタ部３と、コネクタ部３を介してバッテリ５から電力が供給されるヒーター部４と、を備えるので、収納部２に収納されたバッテリ５を用いてヒーター部４を稼働させ、着用者を暖めることができる。
【０１１２】
バッテリ５が着脱可能に構成されるので、ヒーター部４はそのままでバッテリ５のみを取り外して洗濯することができ、着用時にはバッテリ５のみをコネクタ部３に取り付ければよいため手間が掛からない。
【０１１３】
上述した構成に加えて、ヒーター部４に電力を供給するバッテリ５を備えて構成された場合であっても、上述した効果と同様の効果を得ることができる。
【０１１４】
以上説明した実施形態は、本発明の一例に過ぎず、本発明の作用効果を奏する範囲において具体的構成などを適宜変更設計できることは言うまでもない。
【産業上の利用可能性】
【０１１５】
本発明は、保温性に優れた防寒用の衣料として用いられる。
【符号の説明】
【０１１６】
１…衣料
２…収納部
３…コネクタ部
４…ヒーター部
５…バッテリ
６…スイッチ部
１１…前身頃
１２…後身頃
１５…表地層
１６…裏地層
３１…ＵＳＢ端子
１５２…赤外線反射層
【図１】
2016056490.tif 000003
【図２】
2016056490.tif 000004
【図３】
2016056490.tif 000005
【図４】
2016056490.tif 000006
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
バッテリが収納される収納部と、
前記バッテリが着脱可能に接続されるコネクタ部と、
前記コネクタ部を介して前記バッテリから電力が供給されるヒーター部と、
を備え、
前記収納部は、後身頃に、少なくとも２つ以上設けられ、左右対称位置に配置されることを特徴とする衣料。
【請求項２】
前記収納部は、前記後身頃の裾側の両端部に配置されていることを特徴とする請求項１に記載の衣料。
【請求項３】
前記コネクタ部は、端子の先端部を保護するための保護キャップが装着可能に設けられていることを特徴とする請求項１または２に記載の衣料。
【請求項４】
表地層を備え、
前記表地層の着用者側となる面には、赤外線反射層が設けられることを特徴とする請求項１〜３のいずれかに記載の衣料。
【請求項５】
少なくとも２つ以上設けられた前記収納部にそれぞれ収納された前記バッテリが、前記ヒーター部に対して並列に接続されるように前記コネクタ部が配線されていることを特徴とする請求項１〜４のいずれかに記載の衣料。
【請求項６】
前記コネクタ部は、ＵＳＢ端子が設けられてなることを特徴とする請求項１〜５のいずれかに記載の衣料。
【請求項７】
前記ヒーター部への給電状態を制御するスイッチ部が設けられることを特徴とする請求項１〜６のいずれかに記載の衣料。
【請求項８】
前記ヒーター部に電力を供給する前記バッテリを備えることを特徴とする請求項１〜７のいずれかに記載の衣料。
【請求項９】
静電気を除電する機能を有する静電気防止部材を備えることを特徴とする請求項１〜８のいずれかに記載の衣料。
【請求項１０】
前記ヒーター部は、表面にプリントが施され、前記プリントには、テラヘルツ波を放射する鉱石、ラジウムなどが含まれることを特徴とする請求項１〜９のいずれかに記載の衣料。